(57)【要約】【課題】携帯電話等の各種電子機器に使用される入力装置に関し、押圧角度を高精度に検知できるものを提供することを目的とする。【解決手段】外周から突出するＹ方向の一対の電極２７Ａ、２７Ｃとこれと直交するＸ方向の一対の電極２７Ｂ、２７Ｄを設けた略リング状の抵抗体２６、またはこの抵抗体２６と所定の間隙を空けて対向する略リング状の導電体２２の一方が押圧操作により他方に接触した場合、制御手段４０がＸ方向とＹ方向の一対の電極間に電圧を切換えて印加し、Ｘ方向の電圧印加時とＹ方向の電圧印加時に得られる導電体２２の出力電圧によって各々、Ｘ、Ｙ方向のベクトルを検出し、これらの合成ベクトルから押圧位置の押圧角度を検知するようにして入力装置を構成する。【選択図】  図１
2004185381.tif 000002
【特許請求の範囲】
【請求項１】
外周から突出するＸ方向の一対の電極とこれと直交するＹ方向の一対の電極を設けた略リング状の抵抗体と、この抵抗体と所定の間隙を空けて対向する略リング状の導電体と、上記電極及び上記導電体が接続される制御手段からなり、上記抵抗体または上記導電体の一方が押圧操作により他方に接触した場合、上記制御手段がＸ方向とＹ方向の一対の電極間に電圧を切換えて印加し、Ｘ方向の電圧印加時とＹ方向の電圧印加時の上記導電体の出力電圧からＸ方向のベクトルとＹ方向のベクトルを検出し、この合成ベクトルによって押圧位置の押圧角度を検知する入力装置。
【請求項２】
外周から突出するＸ方向の一対の電極とこれと直交するＹ方向の一対の電極を設けた略リング状の抵抗体と、この抵抗体と所定の間隙を空けて対向する略リング状の導電体と、上記電極及び上記導電体が接続される制御手段からなり、上記抵抗体または上記導電体の一方が押圧操作により他方に接触した場合、上記制御手段がＸ方向とＹ方向の一対の電極間に電圧を切換えて印加し、Ｘ方向の電圧印加時とＹ方向の電圧印加時の上記導電体の出力電圧から得られる角度の平均値によって、押圧位置の押圧角度を検知する入力装置。
【請求項３】
Ｘ方向またはＹ方向の電圧極性を逆方向にして電圧を印加し、再度押圧角度の検知を行う請求項１または２記載の入力装置。
【発明の詳細な説明】
【０００１】
【発明の属する技術分野】
本発明は、携帯電話や携帯情報端末等の各種電子機器に使用される入力装置に関するものである。
【０００２】
【従来の技術】
近年、携帯電話や携帯情報端末等の各種電子機器の高機能化が進む中、平面パッドやトラックボールを操作して表示画面上のカーソルやポインタを移動させ、様々な情報の入力や選択を行う入力装置においても、その操作位置や押圧角度を高精度に検知できるものが求められている。
【０００３】
このような従来の入力装置について、図１０〜図１２を用いて説明する。
【０００４】
図１０は従来の入力装置の概念図であり、同図において、２６は略リング状の抵抗体で、この外周にはＹ方向に突出する一対の電極２７Ａ、２７Ｃと、これと直交するＸ方向の一対の電極２７Ｂ、２７Ｄが設けられている。
【０００５】
また、２２は抵抗体２６と所定の間隙を空けて対向する略リング状の導電体で、この外周には所定の方向に突出する電極２３が設けられている。
【０００６】
そして、これらの電極２７Ａ〜２７Ｄ、２３が、マイクロコンピュータ等の制御手段３０に接続されて、入力装置が構成されている。
【０００７】
以上の構成において、この入力装置の所定の箇所が押圧された場合の押圧角度を検知する方法について説明する。
【０００８】
例えば、図１１（ａ）の概念図に示すように、押圧操作した位置がＡ点の場合、先ず、制御手段３０はＹ方向の電極２７Ｃを−極としＹ方向の電極２７Ａを＋極として電圧を印加し、電極２３から出力される、Ａ点と−極間の固定抵抗値Ｒｘに発生する電圧を検出する。
【０００９】
そして、押圧位置がＹ方向の−極から時計方向に固定抵抗値Ｒｘ分離れているＡ点か、又は反時計方向に固定抵抗値Ｒｘ分離れているＢ点のいずれかであると検知する。
【００１０】
次に、図１１（ｂ）に示すように、制御手段３０はＸ方向の電極２７Ｄを−極としＸ方向の電極２７Ｂを＋極として電圧を印加し、電極２３から出力される、Ａ点と−極間の固定抵抗値Ｒｙに発生する電圧を検出する。
【００１１】
そして、同様にして、押圧位置がＸ方向の−極から時計方向に固定抵抗値Ｒｙ分離れているＣ点か、又は反時計方向に固定抵抗値Ｒｙ分離れているＡ点のいずれかであると検知し、これらから、Ｘ、Ｙ方向共に共通するＡ点であると判定して、その押圧角度を検知し、表示画面上のカーソルやポインタを移動させ、様々な情報の入力や選択が行われるように構成されている。
【００１２】
しかしながら、通常、以上のような抵抗体２６の固定抵抗値ＲｘやＲｙに加え、抵抗体２６と導電体２２の接触箇所には接触抵抗値Ｒｓが発生する。
【００１３】
従って、この場合には、図１２（ａ）の概念図に示すように、先ず、制御手段３０がＹ方向の電極２７Ｃを−極としＸ方向の電極２７Ａを＋極として電圧を印加した場合、押圧位置をＡ点から接触抵抗値Ｒｓ分離れている位置、即ち、Ｙ方向の−極から時計方向に抵抗値Ｒｘ＋Ｒｓ分離れているＡ１点と検知する。
【００１４】
次に、図１２（ｂ）に示すように、Ｘ方向の電極２７Ｄを−極としＸ方向の電極２７Ｂを＋極として電圧を印加し、押圧位置をＡ点から接触抵抗値Ｒｓ分離れている位置、即ち、Ｘ方向の−極から反時計方向に抵抗値Ｒｙ＋Ｒｓ分離れているＡ２点と検知し、検知したこれらの押圧位置Ａ１、Ａ２点のどちらか一方を押圧位置として検知するものであった。
【００１５】
なお、この出願の発明に関連する先行技術文献情報としては、例えば、特許文献１が知られている。
【００１６】
【特許文献１】
特開２００２−１１７７５０号公報
【００１７】
【発明が解決しようとする課題】
このように上記従来の入力装置においては、抵抗体２６と導電体２２との間に発生する接触抵抗値Ｒｓの値によって、本来の押圧位置であるＡ点をＡ１点またはＡ２点と検知してしまうため、押圧角度の検知に誤差が生じ易いという課題があった。
【００１８】
本発明は、このような従来の課題を解決するものであり、押圧角度を高精度に検知できる入力装置を提供することを目的とする。
【００１９】
【課題を解決するための手段】
上記目的を達成するために本発明は、以下の構成を有するものである。
【００２０】
本発明の請求項１に記載の発明は、制御手段が抵抗体のＸ方向とＹ方向の一対の電極間に電圧を切換えて印加し、Ｘ方向の電圧印加時とＹ方向の電圧印加時に得られる導電体の出力電圧によって各々、Ｘ、Ｙ方向のベクトルを検出し、これらの合成ベクトルから押圧位置の押圧角度を検知するようにして入力装置を構成したものであり、抵抗体と導電体の間に発生した接触抵抗値に影響されずに押圧角度を検知できるため、押圧角度を高精度に検知できる入力装置を実現できるという作用を有する。
【００２１】
本発明の請求項２に記載の発明は、制御手段が抵抗体のＸ方向とＹ方向の一対の電極間に電圧を切換えて印加し、Ｘ方向の電圧印加時とＹ方向の電圧印加時の導電体の出力電圧から得られる角度の平均値によって、押圧位置の押圧角度を検知するようにして入力装置を構成したものであり、押圧角度を高精度に検知できる入力装置を実現できるという作用を有する。
【００２２】
請求項３に記載の発明は、請求項１または２記載の発明において、Ｘ方向またはＹ方向の電圧極性を逆方向にして電圧を印加し、再度押圧角度の検知を行うものであり、全ての押圧位置において接触抵抗値に影響されずに検知できるため、更に押圧角度を高精度に検知できる入力装置を実現できるという作用を有する。
【００２３】
【発明の実施の形態】
以下、本発明の実施の形態について、図１〜図９を用いて説明する。
【００２４】
なお、従来の技術の項で説明した構成と同一構成の部分には同一符号を付して、詳細な説明を簡略化する。
【００２５】
（実施の形態１）
実施の形態１を用いて、本発明の特に請求項１及び３記載の発明について説明する。
【００２６】
図１は本発明の第１の実施の形態による入力装置の概念図であり、同図において、２６はカーボン等の略リング状の抵抗体で、この外周にはＹ方向に突出する一対の電極２７Ａ、２７Ｃと、これと直交するＸ方向の一対の電極２７Ｂ、２７Ｄが設けられている。
【００２７】
また、２２は抵抗体２６と所定の間隙を空けて対向する銅等の良導電性の略リング状の導電体で、この外周には所定の方向に突出する電極２３が設けられ、これらの電極２７Ａ〜２７Ｄ、２３が、マイクロコンピュータ等の制御手段４０に接続されている。
【００２８】
そして、図２の断面図及び図３の分解斜視図に示すように、略リング状の導電体２２は上下面に複数の配線パターン（図示せず）が形成された絶縁基板２１の上面に、略リング状の抵抗体２６は絶縁基板２１上方に設けられた可撓性でポリエチレンテレフタレートフィルム等の抵抗シート２５の導電体２２との対向面に形成されている。
【００２９】
そして、絶縁基板２１と抵抗シート２５の間には中央部に通孔を有するスペーサ２４が貼付され、導電体２２と抵抗体２６が所定の間隔を空けて対向している。
【００３０】
また、２８は抵抗シート２５の上方に設けられた弾性を有するゴムやエラストマー等の略円盤状の操作体で、下面中央近傍の二つのボス２８Ａが絶縁基板２１の孔２１Ａに圧入されて、装着・固定されている。
【００３１】
そして、２９は操作体２８の外周下面から突出したリング状の突起部で、この円弧状の先端が導電体２２上方の抵抗シート２５上面に当接して、入力装置が構成されている。
【００３２】
以上の構成において、この入力装置の操作体２８上面の所定の箇所が押圧された場合の押圧角度を検知する方法について説明する。
【００３３】
先ず、操作体２８上面外周を指等で所定の力で押圧操作すると、図４の断面図に示すように、操作体２８が傾倒し、下面の突起部２９が抵抗シート２５上面を押圧して、抵抗シート２５を下方に撓ませる。
【００３４】
このことにより、抵抗シート２５下面の抵抗体２６が対向する導電体２２と接触し、抵抗体２６と導電体２２の間が導通状態となり、この導通した信号が電極２３から出力されて制御手段４０へ出力される。
【００３５】
そして、例えば、図５（ａ）の概念図に示すように、押圧操作した位置が左下のＡ点の場合、先ず、制御手段４０はＹ方向の電極２７Ｃを−極としＹ方向の電極２７Ａを＋極として電圧を印加し、電極２３から出力される電圧によって、押圧位置を左下のＡ点か、又は右下のＢ点のいずれかであると検知し、このＹ方向のベクトルＶｙ０を検出する。
【００３６】
また、この後、図５（ｂ）に示すように、Ｘ方向の電極２７Ｄを−極としＸ方向の電極２７Ｂを＋極として電圧を印加し、押圧位置を左上のＣ点か、又は左下のＡ点のいずれかであると検知し、このＸ方向のベクトルＶｘ０を検出する。
【００３７】
そして、図５（ｃ）に示すように、このベクトルＶｘ０とベクトルＶｙ０との合成ベクトルＶｚ０から、Ａ点の角度θを押圧位置の押圧角度として検知する。
【００３８】
次に、抵抗体２６と導電体２２の接触箇所に接触抵抗値Ｒｓが発生した場合の押圧角度の検知方法について説明する。
【００３９】
先ず、図６（ａ）の概念図に示すように、制御手段４０はＹ方向の電極２７Ｃを−極としＹ方向の電極２７Ａを＋極として電圧を印加する。
【００４０】
そして、電極２３から出力される電圧によって押圧位置を左下のＡ点から接触抵抗値Ｒｓ分左上へ離れているＡ１点か、又は右下のＢ点から接触抵抗値Ｒｓ分右上へ離れているＢ１点のいずれかであると検知し、このＹ方向のベクトルＶｙ１を検出する。
【００４１】
また、この後、図６（ｂ）に示すように、Ｘ方向の電極２７Ｄを−極としＸ方向の電極２７Ｂを＋極として電圧を印加し、押圧位置を左上のＣ点から接触抵抗値Ｒｓ分右上へ離れているＣ１点か、又は左下のＡ点から接触抵抗値Ｒｓ分右下へ離れているＡ２点のいずれかであると検知し、このＸ方向のベクトルＶｘ１を検出する。
【００４２】
最後に、図６（ｃ）に示すように、制御手段４０はこのベクトルＶｘ１とベクトルＶｙ１を合成し、この合成ベクトルＶｚ１より得られる角度θ、つまり、ベクトルはＶｚ１であるが、その角度は接触抵抗値Ｒｓが含まれていないベクトルＶｚ０と同じθ、接触抵抗値Ｒｓ分の押圧角度の誤差が取り除かれた正確なＡ点の角度θを押圧位置の押圧角度として検知する。
【００４３】
そして、この検知された押圧角度に基づいて表示画面上のカーソルやポインタが移動して、様々な情報の入力や選択を行うように構成されている。
【００４４】
このように本実施の形態によれば、制御手段４０がＸ方向とＹ方向の一対の電極間に電圧を切換えて印加し、Ｘ方向の電圧印加時とＹ方向の電圧印加時に得られる導電体２２の出力電圧によって各々、Ｘ，Ｙ方向のベクトルを検出し、これらの合成ベクトルから押圧位置の押圧角度を検知するようにして入力装置を構成することによって、抵抗体２６と導電体２２の間に発生した接触抵抗値Ｒｓに影響されずに押圧角度を検知できるため、押圧角度を高精度に検知できる入力装置を実現できるものである。
【００４５】
なお、図７（ａ）の概念図に示すように、押圧操作した位置が左上のＣ点で、この押圧位置の抵抗体２６と導電体２２との間に接触抵抗値Ｒｓが発生する場合には、以下のようになる。
【００４６】
先ず、制御手段４０はＹ方向の電極２７Ｃを−極としＹ方向の電極２７Ａを＋極として電圧を印加し、押圧位置が左上のＣ点から接触抵抗値Ｒｓ分右上へ離れているＣ１点のＹ方向のベクトルＶｙ２を検出する。
【００４７】
また、この後、図７（ｂ）に示すように、Ｘ方向の電極２７Ｄを−極としＸ方向の電極２７Ｂを＋極として電圧を印加し、押圧位置が左上のＣ点から接触抵抗値Ｒｓ分右上へ離れているＣ１点のＸ方向のベクトルＶｘ２を検出する。
【００４８】
最後に、制御手段４０はこのベクトルＶｘ２とベクトルＶｙ２を合成し、この合成ベクトルＶｚ２より得られる角度θ＋α度、つまり、Ｃ１点の角度θ＋α度を押圧位置の押圧角度として検知する。
【００４９】
即ち、Ｘ方向のベクトルＶｘ２とＹ方向のベクトルＶｙ２との合成ベクトルＶｚ２から押圧角度を検知しているにも拘らず、接触抵抗値Ｒｓの含まれたＣ１点の角度θ＋α度を押圧角度として検知してしまう。
【００５０】
このため、このような場合には、これに続けて、例えば、図７（ｃ）に示すように、制御手段４０はＸ方向の電圧極性を逆方向にして、つまり、Ｘ方向の電極２７Ｄを＋極としＸ方向の電極２７Ｂを−極として電圧を印加し、押圧位置が左上のＣ点から接触抵抗値Ｒｓ分左下へ離れているＣ２点のＸ方向のベクトルＶｘ３を検出する。
【００５１】
この後、図７（ｄ）に示すように、制御手段４０はこのベクトルＶｘ３とベクトルＶｙ２を合成し、この合成ベクトルＶｚ３より得られる押圧角度θ、つまり、接触抵抗値Ｒｓ分の角度の誤差が取り除かれた正確なＣ点の角度θを押圧位置の押圧角度として検知する。
【００５２】
このように、Ｘ方向またはＹ方向の電圧極性を逆方向にして電圧を印加し、再度押圧角度の検知を行うことによって、全ての押圧位置において接触抵抗値Ｒｓに影響されず、更に高精度な押圧角度の検知を行うことができる。
【００５３】
（実施の形態２）
実施の形態２を用いて、本発明の特に請求項２及び３記載の発明について説明する。
【００５４】
なお、実施の形態１の構成と同一構成の部分には同一符号を付して、詳細な説明を簡略化する。
【００５５】
図１に示したように、外周にＹ方向に突出する一対の電極２７Ａ、２７Ｃとこれと直交するＸ方向の一対の電極２７Ｂ、２７Ｄが設けられた略リング状の抵抗体２６が、所定の方向に突出する電極２３が設けられた略リング状の導電体２２と所定の間隙を空けて対向していることは実施の形態１の場合と同様である。
【００５６】
しかし、本実施の形態においては、これらの電極２７Ａ〜２７Ｄ、２３が、押圧角度の検知方法の異なるマイクロコンピュータ等の制御手段４１に接続されて、入力装置が構成されている。
【００５７】
以上の構成において、この入力装置の抵抗体２６上面の所定の箇所が押圧された場合の押圧角度を検知する方法について説明する。
【００５８】
先ず、図４の断面図に示したように、操作体２８が傾倒し、抵抗体２６上面が所定の力で押圧操作されると、抵抗体２６が対向する導電体２２と接触し、抵抗体２６と導電体２２の間が導通状態となり、この導通した信号が電極２３から出力されて制御手段４１へ出力されることは実施の形態１の場合と同様である。
【００５９】
そして、例えば、図８（ａ）の概念図に示すように、押圧操作した位置が左下のＡ点の場合、先ず、制御手段４１はＹ方向の電極２７Ｃを−極としＹ方向の電極２７Ａを＋極として電圧を印加し、電極２３から出力される電圧によって、Ｙ方向の−極からの角度をθと検知し、押圧位置を左下のＡ点か、又は右下のＢ点のいずれかであると検知する。
【００６０】
また、この後、図８（ｂ）に示すように、Ｘ方向の電極２７Ｄを−極としＸ方向の電極２７Ｂを＋極として電圧を印加し、Ｙ方向の＋極からの角度をθ、又はＹ方向の−極からの角度をθと検知し、押圧位置を左上のＣ点か、又は左下のＡ点のいずれかであると検知し、共通するＡ点の角度θを押圧位置の押圧角度として検知する。
【００６１】
但し、図８（ａ）の電極２７ＣからＡ点までの角度θと、図８（ｂ）の電極２７ＣからＡ点までの角度θのどちらか一方ではなく、これらの角度θの平均値θを押圧位置の押圧角度として検知する。
【００６２】
次に、抵抗体２６と導電体２２の接触箇所に接触抵抗値Ｒｓが発生した場合の押圧角度の検知方法について説明する。
【００６３】
先ず、図９（ａ）の概念図に示すように、制御手段４１はＹ方向の電極２７Ｃを−極としＹ方向の電極２７Ａを＋極として電圧を印加する。
【００６４】
そして、電極２３から出力される電圧によって、Ｙ方向の−極からの角度をＡ点の角度θに接触抵抗値Ｒｓ分の角度αを加えたθ＋αと検知し、押圧位置を左下のＡ点から接触抵抗値Ｒｓ分左上へ離れているＡ１点と検知する。
【００６５】
また、この後、図９（ｂ）に示すように、Ｘ方向の電極２７Ｄを−極としＸ方向の電極２７Ｂを＋極として電圧を印加し、Ｙ方向の−極からの角度をＡ点の角度θから接触抵抗値Ｒｓ分の角度αを減じたθ−αと検知し、押圧位置を左下のＡ点から接触抵抗値Ｒｓ分右下へ離れているＡ２点と検知する。
【００６６】
本実施の形態においては、Ｘ方向の電圧印加時に得られる角度とＹ方向の電圧印加時に得られる角度の平均値によって押圧位置の押圧角度を検知するように構成されているため、この後、制御手段４１はＸ方向の電圧印加時に得られる角度、即ちＡ２点の角度θ−αと、Ｙ方向の電圧印加時に得られる角度、即ちＡ１点の角度θ＋αの平均値θを押圧位置の押圧角度として検知する。
【００６７】
つまり、接触抵抗値Ｒｓ分の角度の誤差が取り除かれた正確なＡ点の角度θを押圧位置の押圧角度として検知する。
【００６８】
そして、この検知された押圧角度に基づいて表示画面上のカーソルやポインタが移動して、様々な情報の入力や選択を行うように構成されている。
【００６９】
このように本実施の形態によれば、制御手段４１がＸ方向とＹ方向の一対の電極間に電圧を切換えて印加し、Ｘ方向の電圧印加時とＹ方向の電圧印加時の導電体２２の出力電圧から、Ｘ方向の電圧印加時に得られる角度θ−αとＹ方向の電圧印加時に得られる角度θ＋αの平均値θを押圧位置の押圧角度として検知するようにして入力装置を構成することによって、抵抗体２６と導電体２２の間に発生した接触抵抗値Ｒｓに影響されずに押圧角度を検知できるため、押圧角度を高精度に検知できる入力装置を実現できるものである。
【００７０】
なお、図７（ａ）の概念図に示したように、押圧操作した位置が左上のＣ点で、この押圧位置の抵抗体２６と導電体２２との間に接触抵抗値Ｒｓが発生する場合には、以下のようになる。
【００７１】
先ず、制御手段４１はＹ方向の電極２７Ｃを−極としＹ方向の電極２７Ａを＋極として電圧を印加する。
【００７２】
そして、押圧位置を左上のＣ点から接触抵抗値Ｒｓ分右上へ離れているＣ１点と検知する。
【００７３】
また、次に、図７（ｂ）に示したように、Ｘ方向の電極２７Ｄを−極としＸ方向の電極２７Ｂを＋極として電圧を印加した場合にも、押圧位置を左上のＣ点から接触抵抗値Ｒｓ分右上へ離れているＣ１点と検知する。
【００７４】
つまり、Ｘ方向の電圧印加時に得られる押圧位置Ｃ１点とＹ方向の電圧印加時に得られる押圧位置Ｃ１点が同じと検知してしまう。
【００７５】
このため、このような場合には、これに続けて、例えば、図７（ｃ）に示したように、制御手段４１はＸ方向の電圧極性を逆方向にして、つまり、Ｘ方向の電極２７Ｄを＋極としＸ方向の電極２７Ｂを−極として電圧を印加し、電圧位置を左上のＣ点から接触抵抗値Ｒｓ分左下へ離れているＣ２点と検知する。
【００７６】
そして、制御手段４１はＹ方向の電圧を印加して検知したＣ１点の角度θ＋αと、Ｘ方向の極性を逆方向にし電圧を印加して検知したＣ２点の角度θ−αの平均値θ、つまり、接触抵抗値Ｒｓ分の角度の誤差が取り除かれた正確なＣ点の角度θを押圧位置の押圧角度として検知する。
【００７７】
このように、Ｘ方向またはＹ方向の電圧極性を逆方向にして電圧を印加し、再度押圧角度の検知を行うことによって、全ての押圧位置において接触抵抗値Ｒｓに影響されず、更に高精度な押圧角度の検知を行うことができる。
【００７８】
なお、実際にはあり得ないが、もし接触抵抗値Ｒｓが全く発生しない場合には、Ｘ方向の電圧印加時に得られる角度とＹ方向の電圧印加時に得られる角度が同じになるが、上記したようにＸ方向またはＹ方向の電圧極性を逆方向にして電圧を印加し、再度押圧角度の検知を行うことによって、正しい押圧角度を得ることができる。
【００７９】
つまり、本発明の入力装置は接触抵抗値の発生有無や大小に拘らず、押圧位置の押圧角度を高精度に検知できるものである。
【００８０】
【発明の効果】
以上のように本発明によれば、押圧位置の押圧角度を高精度に検知できる入力装置を得ることができるという有利な効果が得られる。
【図面の簡単な説明】
【図１】本発明の一実施の形態による入力装置の概念図
【図２】同断面図
【図３】同分解斜視図
【図４】同押圧操作時の断面図
【図５】同Ａ点押圧操作時の概念図
【図６】同Ａ点押圧操作時の概念図
【図７】同Ｃ点押圧操作時の概念図
【図８】同Ａ点押圧操作時の概念図
【図９】同Ａ点押圧操作時の概念図
【図１０】従来の入力装置の概念図
【図１１】同押圧操作時の概念図
【図１２】同押圧操作時の概念図
【符号の説明】
２１  絶縁基板
２１Ａ  孔
２２  導電体
２３、２７Ａ〜２７Ｄ  電極
２４  スペーサ
２５  抵抗シート
２６  抵抗体
２８  操作体
２８Ａ  ボス
２９  突起部
３０、４０、４１  制御手段
【図１】
2004185381.tif 000003
【図２】
2004185381.tif 000004
【図３】
2004185381.tif 000005
【図４】
2004185381.tif 000006
【図５】
2004185381.tif 000007
【図６】
2004185381.tif 000008
【図７】
2004185381.tif 000009
【図８】
2004185381.tif 000010
【図９】
2004185381.tif 000011
【図１０】
2004185381.tif 000012
【図１１】
2004185381.tif 000013
【図１２】
2004185381.tif 000014